(57)【要約】      （修正有）【課題】ユーザに煩雑な操作を要求することなく、ユーザが閲覧する表示画面をユーザの位置に対応する任意の位置に見やすく表示する情報機器を提供する。【解決手段】端末との間で信号の送受信を行う通信手段１２と、１以上の表示画面を表示部１０に表示する表示制御手段１３と、通信手段１２により端末１００から送信される信号を受信したとき、端末の位置検出を行う位置検出手段１４と、を備え、表示制御手段は、位置検出手段により検出された端末の位置が予め定められた検出領域内にあるとき、表示部における検出された端末の位置に対応する位置に表示画面を表示する。【選択図】図３
2016048532.tif 000002
【特許請求の範囲】
【請求項１】
端末との間で信号の送受信を行う通信手段と、
１以上の表示画面を表示部に表示する表示制御手段と、
前記通信手段により前記端末から送信される信号を受信したとき、前記端末の位置検出を行う位置検出手段と、を備え、
前記表示制御手段は、前記位置検出手段により検出された前記端末の位置が予め定められた検出領域内にあるとき、前記表示部における検出された前記端末の位置に対応する位置に前記表示画面を表示することを特徴とする情報機器。
【請求項２】
前記端末から送信される信号は前記端末が備えるユーザ検出手段によりユーザを検出したとき送信されるユーザ検出信号であることを特徴とする請求項１記載の情報機器。
【請求項３】
前記表示制御手段は、ユーザ認証画面を前記表示部における検出された前記端末の位置に対応する位置に表示することを特徴とする請求項１又は２記載の情報機器。
【請求項４】
前記端末からユーザを識別するユーザ識別信号を受信したとき、前記端末を自動認識する認識手段を備えることを特徴とする請求項１から３の何れか１項に記載の情報機器。
【請求項５】
前記表示制御手段は、前記ユーザ検出信号が所定時間受信されないとき、前記表示部における検出された前記端末の位置に対応する位置に表示された前記表示画面を非表示にすることを特徴とする請求項２から４の何れか１項に記載の情報機器。
【請求項６】
端末と情報機器とがネットワークにより接続された情報処理システムであって、
前記端末は、
ユーザを検出するユーザ検出手段と、
前記ユーザ検出手段によりユーザが検出されたときユーザ検出信号を送信する送信手段と、を備え、
前記情報機器は、
前記端末との間で信号の送受信を行う通信手段と、
１以上の表示画面を表示部に表示する表示制御手段と、
前記通信手段により前記端末から送信されるユーザ検出信号を受信したとき、前記端末の位置検出を行う位置検出手段と、を備え、
前記表示制御手段は、前記位置検出手段により検出された前記端末の位置が予め定められた検出領域内にあるとき、前記表示部における検出された前記端末の位置に対応する位置に前記表示画面を表示することを特徴とする情報処理システム。
【請求項７】
ネットワークにより接続された端末との間で信号の送受信を行う工程と、
１以上の表示画面を表示部に表示する工程と、
前記端末から送信される信号を受信したとき、前記端末の位置検出を行う工程と、
前記検出された前記端末の位置が予め定められた検出領域内にあるとき、前記表示部における検出された前記端末の位置に対応する位置に前記表示画面を表示する工程と、
を備えることを特徴とする情報処理方法。
【請求項８】
ネットワークにより接続された端末との間で信号の送受信を行う処理と、
１以上の表示画面を表示部に表示する処理と、
前記端末から送信される信号を受信したとき、前記端末の位置検出を行う処理と、
前記検出された前記端末の位置が予め定められた検出領域内にあるとき、前記表示部における検出された前記端末の位置に対応する位置に前記表示画面を表示する処理と、
をコンピュータに実行させることを特徴とするプログラム。
【発明の詳細な説明】
【技術分野】
【０００１】
本発明は、情報機器、情報処理システム、情報処理方法、及び、プログラムに関する。
【背景技術】
【０００２】
従来から、テーブル状の筐体のテーブル面に大画面の液晶ディスプレイを組み込み、この液晶ディスプレイの画面上に必要なデータを表示させながら、テーブルを囲むようにして複数人によって会議等を行う技術が知られている。また、このテーブル型表示装置は、スマートフォン等の携帯端末と通信する機能を備え、２つの機器をかざすことで、自動的にデータ転送を行うことができる。
【０００３】
このようなテーブル型表示装置に関し、特許文献１には、１つの画面を複数の領域に分割可能な表示部を備えた情報表示装置であって、携帯端末が表示部の画面に近接したときに該携帯端末の固有情報を取得し、携帯端末が接触した表示部の画面上の座標または該座標を含む領域を検知し、取得した携帯端末の固有情報を検知した座標または該座標を含む領域に対応付け、携帯端末の固有情報が対応付けられた座標または該座標を含む領域に応じて、携帯端末との間で無線を介してデータ通信を行う情報表示テーブルが開示されている。
【先行技術文献】
【特許文献】
【０００４】
【特許文献１】特開２０１３−１３０９８２号公報
【発明の概要】
【発明が解決しようとする課題】
【０００５】
特許文献１に開示された情報表示テーブルは、ユーザの人数に応じて予め複数の表示領域が分割されており、分割された表示領域のうち携帯端末が接触した領域の座標に携帯端末の固有情報を対応付けて、対応付けられた携帯端末との間で無線通信を介してデータ通信を行うものである。特許文献１に開示された情報表示テーブルによれば、上記のように携帯端末を画面に接触させる操作より、携帯端末との連携を容易にし、データ通信を手軽に行うことができる。
【０００６】
しかし、特許文献１に開示された情報表示テーブルでは、ユーザの人数に合わせて予め各ユーザ専用の表示領域が複数に分割されているため、各表示領域の表示が固定的である。そのため、例えば、ユーザが現在着座している位置から半身分ずれたとき、その表示領域を斜めから見ることになるため非常に見づらい。また、現在の着座位置に対応する表示領域以外の表示領域に対応する位置に移動したときは、あらためて携帯端末を移動先の着座位置に対応する特定の表示領域に接触させてその表示領域の座標と対応付けなければならずユーザに煩雑な操作を要求することになる。
【０００７】
本発明は、このような実情に鑑みてなされたものであって、ユーザに煩雑な操作を要求することなく、ユーザが閲覧する表示画面をユーザの位置に対応する任意の位置に見やすく表示する情報機器を提供することを目的とする。
【課題を解決するための手段】
【０００８】
上記の課題を解決するため、本発明の情報機器は、端末との間で信号の送受信を行う通信手段と、１以上の表示画面を表示部に表示する表示制御手段と、通信手段により端末から送信される信号を受信したとき、端末の位置検出を行う位置検出手段と、を備え、表示制御手段は、位置検出手段により検出された端末の位置が予め定められた検出領域内にあるとき、表示部における検出された端末の位置に対応する位置に表示画面を表示することを特徴とする。
【発明の効果】
【０００９】
本発明によれば、ユーザに煩雑な操作を要求することなく、ユーザが閲覧する表示画面をユーザの位置に対応する任意の位置に見やすく表示することができる。
【図面の簡単な説明】
【００１０】
【図１】本発明の実施形態における情報機器の概略図である。
【図２】本発明の実施形態における情報機器のハードウェア構成図である。
【図３】本発明の実施形態における情報機器の機能ブロック図である。
【図４】本発明の実施形態における表示画面の表示処理について説明する模式図である。
【図５】本発明の実施形態における端末の位置検出処理について説明する模式図である。
【図６】本発明の実施形態における表示処理手順を示すフローチャートである。
【発明を実施するための形態】
【００１１】
本発明の実施形態の情報機器について図面を用いて以下説明する。なお、各図中、同一又は相当する部分には同一の符号を付しており、その重複説明は適宜に簡略化乃至省略する。なお、以下では、情報機器として、例えばテーブル型のパーソナルコンピュータ（以下「テーブルＰＣ」という。）について説明するが、本発明はテーブルＰＣに限定されるものではない。例えば、デスクトップ型ＰＣ、ノート型ＰＣ、タブレット型ＰＣ、スマートフォン、ＰＤＡ（Ｐｅｒｓｏｎａｌ  Ｄｉｇｉｔａｌ  Ａｓｓｉｓｔａｎｔ）、携帯電話は言うに及ばず、電子黒板、電子広告、あるいは情報処理機能及びディスプレイを備えた冷蔵庫のような情報家電等にも本発明は適用可能である。
【００１２】
本実施形態の情報機器としてのテーブルＰＣ１の全体構成について図１を参照して説明する。本実施形態のテーブルＰＣ１は、本図に示すように、例えば長方形状の天板とこの天板を支持する２脚の逆Ｔ字型の支持脚で構成されている。そして、天板には様々な情報を表示する表示部１０が設けられている。本実施形態では表示部１０として液晶ディスプレイを採用するが、その他の方式のディスプレイであってもよい。
【００１３】
また、表示部１０にはユーザの指等による接触を認識するタッチパネルが設けられている。表示部１０に表示された表示アイコン等へのユーザによるタッチ操作をタッチパネルが認識することで、テーブルＰＣ１に搭載される各種機能を実現することができる。各種機能はテーブルＰＣ１が内蔵する不図示のＣＰＵ（Ｃｅｎｔｒａｌ  Ｐｒｏｃｅｓｓｉｎｇ  Ｕｎｉｔ）により実現される。
【００１４】
また、本実施形態のテーブルＰＣ１においては、例えば、スマートフォン１００等の携帯端末を持ったユーザがテーブルＰＣ１に近接し、スマートフォン１００から所定の信号をテーブルＰＣ１がネットワークを介して受信することで、表示部１０に所定の表示画面１１を表示する。所定の信号、所定の表示画面、及びその表示制御についての詳細は後述する。
【００１５】
次に、本実施形態におけるテーブルＰＣ１のハードウェア構成の概略について図２を参照して説明する。テーブルＰＣ１は、ＣＰＵ２と、ＲＡＭ（Ｒａｎｄｏｍ  Ａｃｃｅｓｓ  Ｍｅｍｏｒｙ）３と、ＲＯＭ（Ｒｅａｄ  Ｏｎｒｙ  Ｍｅｍｏｒｙ）４と、ＨＤＤ５と、ネットワークインターフェース（以下「ＮＷ  Ｉ／Ｆ」という。）６と、センサ７と、カメラ８と、マイク９と、表示部１０を備える。
【００１６】
ＣＰＵ２は、例えば、本実施形態におけるテーブルＰＣ１の全体制御を行う制御部である。
【００１７】
ＲＡＭ３は、例えば、プログラムやデータの展開用メモリ、描画用メモリなどである。ＲＯＭ４は、例えば、プログラムやデータの格納用メモリであり、ＨＤＤ５は、例えば、本実施形態において表示画面１１に表示する画像データ等を記憶する大容量記憶装置である。なお、画像データ等は、ＮＷ  Ｉ／Ｆ６を介してインターネット等から取得するものであっても、不図示の外部デバイスを介してユーザによりＨＤＤ５に保存されるものであってもよい。
【００１８】
ＮＷ  Ｉ／Ｆ６は、テーブルＰＣ１とインターネット等の外部ネットワークと通信を行うための通信手段である。また、ＮＷ  Ｉ／Ｆ６は、スマートフォン１００等と通信を行うための通信手段としても機能する。通信手段は無線であっても有線であってもよい。
【００１９】
センサ７は、スマートフォン１００のテーブルＰＣ１に対する位置を検出するための、例えばＢｌｕｅｔｏｏｔｈ（登録商標）等の無線通信センサである。平面上の任意の位置を特定するため、センサ７を３つ以上備えていることが望ましいが、例えばカウンタテーブルのようにユーザが横一列に並ぶような１次元的なテーブルの場合は、センサ１つでも位置を特定することができる。
【００２０】
カメラ８は、例えば、テレビカメラやスチルカメラ等の撮像デバイスである。カメラ８により撮影した映像あるいは画像を解析することでユーザの存在を視覚的に認識することができる。
【００２１】
マイク９は、ユーザが発する音声を集音する集音デバイスである。例えば、特定ユーザの音声を予めＨＤＤ５等に記録（録音）しておき、マイク９により集音したユーザの音声と記録音声とを照合することで、特定ユーザを認識する。
【００２２】
表示部１０は、上述したようなＨＤＤ５に記憶されている画像データ等を表示する液晶ディスプレイ等である。本実施形態の説明においては、例えば、表示部１０にはユーザの操作を受け付けるユーザインタフェースとしての表示画面を表示する。ユーザインタフェースとしては、アイコンであっても、通常のＰＣの起動画面等が仮想的に表示された表示画面であってもよい。
【００２３】
次に、本実施形態におけるテーブルＰＣ１の機能ブロックについて図３を参照して説明する。本実施形態におけるテーブルＰＣ１は、機能ブロックとして、通信手段１２と、表示制御手段１３と、位置検出手段１４と、認識手段１５を含み構成されている。また、テーブルＰＣ１と通信するスマートフォン１００は、機能ブロックとして、ユーザ検出手段１０１と、送信手段１０２を含み構成されている。本実施形態において、テーブルＰＣ１とスマートフォン１００とがネットワークにより接続されたシステムを便宜的に情報処理システムとする。
【００２４】
通信手段１２は、スマートフォン１００との間で信号の送受信を行う。なお、通信方式については、Ｂｌｕｅｔｏｏｔｈ（登録商標）や無線ＬＡＮ、無線ＷＡＮ、ＷｉＭＡＸ、ＵＷＢ、又はＧＰＳのような通信方式、あるいは３Ｇや３．５Ｇのような携帯電話方式といった各方式にそれぞれ対応している。
【００２５】
表示制御手段１３は、１以上の複数の表示画面を表示部１０に表示する。これにより、複数のユーザがユーザごとに表示された専用の表示画面を閲覧することができる。位置検出手段１４は、通信手段１２によりスマートフォン１００から送信される信号を受信したとき、スマートフォン１００の位置検出を行う。位置検出の詳細な説明は後述する。信号受信に関する詳細な説明については後述する。
【００２６】
また、表示制御手段１３は、位置検出手段１４により検出されたスマートフォン１００の位置が予め定められた検出領域内にあるとき、表示部１０における検出されたスマートフォン１００の位置に対応する位置に表示画面を表示する。『予め定められた検出領域』とは、スマートフォン１００がテーブルＰＣ１に近接していると判断できる位置にあるかどうかを判定するための領域をいう。例えば、スマートフォン１００の位置をテーブルＰＣ１が備える所定のセンサにより検出する場合、そのセンサ検出電波の出力を調整することにより、スマートフォン１００の近接を判定する検出範囲として設定される領域である。『対応する位置』とは、例えば、検出されたスマートフォン１００の検出位置に対向するテーブルＰＣ１の表示部１０上の任意の位置をいう。
【００２７】
さらに、表示制御手段１３は、ユーザ認証画面を上述した『対応する位置』に表示する。ユーザ認証画面は、例えば、ユーザ認証を行うためのログインＩＤやログインパスワードを入力するためのログイン画面である。本実施形態における表示画面には、上記ユーザ認証画面のほか、画像データ、文書データ、インターネット等のネットワークにより提供されるＷｅｂサイト画面、その他ソフトウェア等により提供される各種コンテンツが出力された画面が含まれてもよい。
【００２８】
認識手段１５は、スマートフォン１００から、ユーザを識別するユーザ識別信号を受信したとき、スマートフォン１００を自動認識する。ユーザ識別信号とは、例えばスマートフォン１００等の端末に予め割り当てられたユーザＩＤをいう。自動認識により、ユーザは別途ログイン操作を要することがないため、表示画面に表示されたコンテンツ等をスムーズに閲覧することができる。
【００２９】
ユーザ検出手段１０１は、ユーザの存在を検出する手段であり、例えば、スマートフォン１００等の端末に設けられたスイッチや、ユーザの体温を検出する温度センサ、あるいは赤外線センサ等があげられる。例えば、ユーザにより端末に設けられたスイッチが押され、端末側からテーブルＰＣ１に信号が送信されることでユーザの存在を検出する。また、端末をユーザが座る椅子としたとき、その椅子の座面下に設けた温度センサや圧力センサによってユーザを検出するものであってもよい。端末を椅子とすれば、スマートフォン等の携帯端末と比較して、ユーザの位置と端末としての椅子の位置とが概ね一致するため、ユーザの位置をより確実に検出することが可能となる。
【００３０】
送信手段１０２は、ユーザ検出手段１０１によりユーザが検出されたときユーザ検出信号を送信する手段である。送信方式については、上述した通信手段１２が採用する通信方式に対応するものであり、説明を省略する。
【００３１】
なお、表示制御手段１３は、上記ユーザ検出信号が通信手段１２を介して所定時間受信されないとき、表示部１０における検出されたスマートフォン１００の位置に対応する位置に表示された表示画面を非表示にすることとしてもよい。これにより、表示画面が表示されたまま第三者に閲覧されるおそれを回避することができる。
【００３２】
次に、本実施形態における表示画面の表示処理について図４を参照して説明する。ここでは、上述したユーザ検出手段１０１の実施態様として３つの例を説明するが、本発明がこれら３つの例に限定されるものでないことはいうまでもなく、ユーザ検出可能な検出手段であればよい。また、以下では端末として椅子１１０を用いた例に基づいて説明する。
【００３３】
図４（ａ）は、例えば、椅子１１０の任意の箇所にスイッチ１１１を設けた例を示したものである。ユーザがスイッチ１１１を押すことで、ユーザ検出信号がテーブルＰＣ１に送信される。そして、このユーザ検出信号を受け、後述する処理により椅子１１０の位置が予め定められた検出領域内にあると判定されたとき、椅子１１０に対向するテーブルＰＣ１の表示部１０の位置に表示画面１１が表示される。なお、スイッチ１１の形状や機能について、特定の形状や機能に限定されるものではない。
【００３４】
図４（ｂ）は、例えば、椅子１１０の座面に重量センサ１１２を設けた例を示したものである。ユーザが椅子１１０に着座することで、重量センサ１１２により検出されたユーザ検出信号がテーブルＰＣ１に送信される。そして、このユーザ検出信号を受け、後述する処理により椅子１１０の位置が予め定められた検出領域内にあると判定されたとき、椅子１１０に対向するテーブルＰＣ１の表示部１０の位置に表示画面１１が表示される。なお、重量センサ１１２によりユーザの体重を測定し、測定結果がテーブルＰＣ１に送信されて記録され、専用のプログラム等で分析されることにより、測定体重に基づいたユーザの体調管理を行うことができる。また、測定体重から得られた分析結果を表示部１０に表示することができることはいうまでもない。
【００３５】
図４（ｃ）は、例えば、椅子１１０の背もたれ部分に赤外線センサ１１３を設けた例を示したものである。ユーザが椅子１１０に着座して赤外線センサ１１３が照射する赤外線によりユーザが検出されることで、検出されたユーザ検出信号がテーブルＰＣ１に送信される。そして、このユーザ検出信号を受け、後述する処理により椅子１１０の位置が予め定められた検出領域内にあると判定されたとき、椅子１１０に対向するテーブルＰＣ１の表示部１０の位置に表示画面１１が表示される。
【００３６】
また、上述した椅子１１０にスイッチやセンサ等を備える構成に代えて、テーブルＰＣ１側に備えたセンサ等により、ユーザが行った所定のジェスチャを検知したときに、表示部１０に表示画面１１を表示させることとしてもよい。
【００３７】
なお、本実施形態においては、ユーザが席を移動し、ユーザ検出信号が検出されなくなった場合、表示部１０に表示されていた表示画面１１を自動的に消去することとしてよい。そして、ユーザの移動先において、ユーザが椅子に着座する、あるいは上述のスイッチ１１１を押した際に、上述した各態様における処理が行えることとしてよい。
【００３８】
図４（ａ）の例を用いて、より具体的に説明する。例えば、ユーザによりテーブルＰＣ１の任意の箇所に移動し、椅子１１０のスイッチ１１１が押されると、矩形状の表示画面１１が椅子１１０に対向する表示部１０上の領域に表示される。そして、椅子１１０が備える記憶部に記憶されたユーザＩＤが表示画面１１に紐付けられる。
【００３９】
その後、ユーザが椅子１１０ごと席を移動し、移動先で再度スイッチ１１１を押すと、移動先で椅子１１０と対向する表示部１０上の領域にユーザダイアログが表示される。ユーザは、このユーザダイアログにおいて、ログオフによりもともと座っていた位置に対向する領域に表示されている表示画面１１を消去するか、表示画面１１を移動先に対向する領域に表示させるかどうかを選択する。
【００４０】
このとき、椅子１１０の記憶部にユーザ識別情報が記憶されている場合、自動的にログインするが、ユーザ識別情報が記憶されていない場合は、あらためてログイン画面を表示することとしてよい。
【００４１】
また、上述のように離席してしばらく放置した場合、いったん元の画面を非表示にして、第三者が閲覧できないようにしてセキュリティ上の安全を確保することとしてもよい。なお、非表示にされた領域上に重畳して第三者用の表示画面を表示させてもよい。また、離席したユーザが元の席に戻り、再びスイッチ１１１を押すと、椅子１１０に対向する表示部１０の最近接領域に矩形領域を表示して元の画面を再現することとしてもよい。
【００４２】
次に、ユーザあるいは端末の位置検出処理の具体例について説明する。例えば、テーブルＰＣ１がＢｌｕｅｔｏｏｔｈ（登録商標）などの近接無線通信のセンサを、３つ以上備えているとする。ここでは、例えば、上記の各センサが椅子１１０から受け取る電波の強度から距離を割り出して、３つの距離から平面上の任意の位置を割り出すものとする。なお、本実施形態のような矩形状のテーブルＰＣ１に代えて、例えばバーカウンターのような１次元的にしか着席されないテーブルであれば、センサが１つであっても位置を特定することができる。また、無線通信の電波強度に限定されず、可視光カメラ、赤外線センサ、又は超音波センサによってもユーザあるいは端末の位置を特定することができる。
【００４３】
位置検出後における表示画面１１の表示方法の態様について図５を参照して説明する。図５は何れもテーブルＰＣ１を真上から見た図である。図５（ａ）は、ユーザがテーブルＰＣ１に正対して着座する場合の表示方法の態様を示すものである。この場合、ユーザが椅子１１０のスイッチ１１１を押したとき、椅子１１０の位置に最も近接するテーブルＰＣ１の縁のＥ点（基準点）が矩形状の表示画面１１の底辺における中点となるように表示画面１１が表示される。
【００４４】
図５（ｂ）は、図示における右下側に示すテーブルＰＣ１の角部にユーザが着座する場合の表示方法の態様を示すものである。この場合、ユーザが椅子１１０のスイッチ１１１を押したとき、椅子１１０の位置に最も近接するテーブルＰＣ１角のＥ’点（基準点）と、椅子１１０の中心であるＣ点とを結んだ直線と垂直になるように矩形状の表示画面１１’が表示される。このとき、位置を検出する椅子１１０のセンサと、基準点との距離が最短となるように表示画面１１’の向きが変わることが好ましい。また、表示画面１１’の外周がテーブルＰＣ１の外周と交わらないことが好ましい。
【００４５】
図５（ｃ）は、外周の形状が複雑な形状のテーブルＰＣ２０を用いた場合における表示画面１１”の表示方法の態様を示すものである。この場合、テーブルＰＣ２０には、その外周の形状によって上述した基準点と椅子１１０の距離が最短になる箇所が複数又は無数に存在する場合がある。この場合は、テーブルＰＣ２０側で予め設定した中心Ｔ点に向う向きを選択して上述と同様の表示処理を行うものとすることが好ましい。
【００４６】
次に、本実施形態における表示処理手順について図６を参照して説明する。ここでは、端末を椅子１１０、端末トリガーをスイッチ１１１として説明する。まず、ユーザはテーブルＰＣ１の任意の位置へ椅子１１０ごと移動する（ステップＳ１）。
【００４７】
椅子１１０のスイッチ１１１が押されたとき（ステップＳ２、ＹＥＳ）、テーブルＰＣ１側に設けられた所定のセンサにより椅子１１０の位置が検出される（ステップＳ３）。椅子１１０のスイッチ１１１が押されないとき（ステップＳ２、ＮＯ）、ステップＳ１へ処理を戻る。
【００４８】
次に、位置検出手段１４は検出された椅子１１０の位置が指定範囲内（検出領域内）かどうか判断する（ステップＳ４）。椅子１１０の位置が指定範囲内であるとき（ステップＳ４、ＹＥＳ）、表示制御手段１３は表示部１０に矩形状の表示画面を表示する（ステップＳ５）。
【００４９】
さらに、椅子１１０の記憶部に記憶されたユーザ識別信号を受信したとき（ステップＳ６、ＹＥＳ）、認識手段１５は椅子１１０の自動ログイン処理を行う（ステップＳ６）。
【００５０】
他方、ユーザ識別信号が椅子１１０の記憶部に記憶されていないとき（ステップＳ６、ＮＯ）、表示制御手段１３は上述したログイン画面を表示する（ステップＳ７）。
【００５１】
なお、ユーザは表示画面の表示位置がユーザに対向する位置からずれているようなときは、表示画面の矩形領域を表示部１０に搭載されたタッチパネルへのタッチ操作により移動させればよい。また、ユーザ識別情報は端末のデバイスＩＤごとにテーブルＰＣ１に格納しておけばよい。また、端末の初回検出時にテーブルＰＣ１にユーザ識別情報を登録する作業を行ってもよい。
【００５２】
なお、上述する各実施の形態は、本発明の好適な実施の形態であり、本発明の要旨を逸脱しない範囲内において種々変更実施が可能である。例えば、上記機能を、アセンブラ、Ｃ言語などのプログラミング言語などで記述されたコンピュータ実行可能なプログラムにより実現することができる。
【符号の説明】
【００５３】
１、２０    テーブルＰＣ
１０    表示部
１１    表示画面
１２    通信手段
１３    表示制御手段
１４    位置検出手段
１５    認識手段
１００    スマートフォン
１０１    ユーザ検出手段
１０２    送信手段
１１１    スイッチ
１１２    重量センサ
１１３    赤外線センサ
【図１】
2016048532.tif 000003
【図２】
2016048532.tif 000004
【図３】
2016048532.tif 000005
【図４】
2016048532.tif 000006
【図５】
2016048532.tif 000007
【図６】
2016048532.tif 000008